(57)【要約】      （修正有）【課題】従来から存在する幟用の支柱部材等を利用して空気圧式立体物を地面から離して空中に配置することができるとともに、空気供給手段が内部に配置されている空気圧式立体物を提供する。【解決手段】空気圧式立体物１００は、立体物を造形する立体形成外面シート１０と、支柱部材７０の周囲を被覆するように筒状に形成され、立体形成外面シートと頂部２１において接合されている支柱部材用筒状シート２０と、立体形成外面シートの中に空気を供給する空気供給手段３０と、を備え、空気供給手段は、支柱部材に固定されている。【選択図】図１
0003197889.tif 000002
【実用新案登録請求の範囲】
【請求項１】
支柱部材に挿入されて使用されて、空気を供給することにより、膨張状態を維持する空気圧式立体物において、
立体物を造形する立体形成外面シートと、
前記支柱部材の周囲を被覆するように筒状に形成されており、前記立体形成外面シートと頂部において接合されている支柱部材用筒状シートと、
前記立体形成外面シートの中に空気を供給する空気供給手段と、
を備え、
前記空気供給手段は、支柱部材に固定されていることを特徴とする空気圧式立体物。
【請求項２】
前記空気供給手段は、前記支柱部材の一部を内側に有するとともに、外気と連通した開口部を有する空気通路形成部材に設けられていることを特徴とする請求項１記載の空気圧式立体物。
【請求項３】
前記空気通路形成部材の内側には、枠体が設けられていることを特徴とする請求項２に記載の空気圧式立体物。
【請求項４】
前記空気通路形成部材の開口部には、立体形成外面シートより剛性を有し、かつ空気を通す蓋部材が設けられていることを特徴とする請求項２又は３に記載の空気圧式立体物。
【請求項５】
前記支柱部材は、幟用の支柱部材であることを特徴とする請求項１から４のいずれか１項に記載の空気圧式立体物。
【請求項６】
前記立体形成外面シートには、表示情報が設けられていることを特徴とする請求項１から５のいずれか１項に記載の空気圧式立体物。
【考案の詳細な説明】
【技術分野】
【０００１】
本考案は、空気圧式立体物に関する。
【背景技術】
【０００２】
本件出願人は、短い製作期間、低い製作コストで、視認性、表現性に優れ、また平面画像を忠実に再現できる立体的な空気圧式造形体を提案している。
【０００３】
かかる空気圧造形体は、画像が表面に印刷された前面シートと反転画像が印刷された背面シートが、各々の裏面同士が向かい合うように設置され、前面シート周縁部と背面シート周縁部が後述する側面シートを介して繋がるように縫合され、袋状に形成されているものである（特許文献１）
【０００４】
しかし、かかる空気圧造形体は、空気を供給する空気供給手段が空気圧造形体の外部に配置されることになるため、空気供給手段を置くスペースを確保しなければならないという問題点があった。また、空気挿入孔を別途設ける必要があるため、作製に手間がかかるという問題点があった。さらに、外部に空気供給手段が設置してあると、全体の美観を損ねるという問題点もあった。
【先行技術文献】
【特許文献】
【０００５】
【特許文献１】特開２００７−６５２３６号公報
【考案の概要】
【考案が解決しようとする課題】
【０００６】
そこで、本考案は、上記課題を鑑みてなされたものであり、従来から存在する幟用の支柱部材等を利用して空気圧式立体物を地面から離して空中に配置することができるとともに、空気供給手段が内部に配置されている空気圧式立体物を提供することを目的とする。
【課題を解決するための手段】
【０００７】
本考案は、上述の目的を達成するために以下の手段を採った。
【０００８】
本考案にかかる空気圧式立体物は、
支柱部材に挿入されて使用されて、空気を供給することにより、膨張状態を維持する空気圧式立体物において、
立体物を造形する立体形成外面シートと、
前記支柱部材の周囲を被覆するように筒状に形成されており、前記立体形成外面シートと頂部において接合されている支柱部材用筒状シートと、
前記立体形成外面シートの中に空気を供給する空気供給手段と、
を備え、
前記空気供給手段は、支柱部材に固定されていることを特徴とする。
【０００９】
本発明の空気圧式立体物によれば、支柱部材に差し込むだけで空中に配置された空気圧式立体物を作製することができる。また、空気圧供給手段は、立体形成外面シートの中に配置されているため、空気圧供給手段の設置場所を設ける必要がなくなる。また、外部に空気圧供給手段が視認されないため、全体として美観的にも優れた空気圧立体物とすることができる。さらに、空気圧供給手段が立体形成外面シート内に配置されているため、空気圧供給手段のファンが回った際に発生する音や振動が外部に漏れづらく、より静かな空気圧式立体物とすることができる。
【００１０】
また、本発明にかかる空気圧式立体物において、前記空気供給手段は、前記支柱部材の一部を内側に有するとともに、外気と連通した開口部を有する空気通路形成部材に設けられていることを特徴とするものであってもよい。かかる構成を採用することによって、効率よく外気の空気を立体形成外面シート内に導入することができる。
【００１１】
さらに、本発明にかかる空気圧式立体物において、前記空気通路形成部材の内側には、枠体が設けられていることを特徴とするものであってもよい。かかる構成を採用することによって、空気通路形成部材が空気供給手段の吸気口を塞ぐ可能性を低減することでき、安定して空気を内部に供給することができる。
【００１２】
さらに、本発明にかかる空気圧式立体物において、前記空気通路形成部材の開口部には、立体形成外面シートより剛性を有する空気を通す蓋部材が設けられていることを特徴とするものであってもよい。かかる構成を採用することによって、空気供給手段等の構成部品を外部から視認しづらくすることができるため、美観性に優れた空気圧式立体物とすることができる。
【００１３】
さらに、本発明にかかる空気圧式立体物において、前記支柱部材は、幟用の支柱部材であることを特徴とするものであってもよい。本発明の空気圧式立体物によれば、市販の幟用の支柱部材を利用して空中に配置される空気圧式立体物を作製することができる。
【００１４】
さらに、本発明にかかる空気圧式立体物において、前記立体形成外面シートには、表示情報が設けられていることを特徴とするものであってもよい。立体形成外面シートに表示情報を設けることによって、宣伝広告用の立体幟として使用することができる。
【考案の効果】
【００１５】
本考案にかかる空気圧式立体物によれば、市販の幟用の支柱部材を利用して、空中に配置される空気式立体物を作製することができ、立体形成外面シートに表示情報を設けることによって宣伝広告用の立体幟として使用することができる。
【図面の簡単な説明】
【００１６】
【図１】図１は、実施形態にかかる空気圧式立体物１００を示す斜視図である。
【図２】図２は、実施形態にかかる空気圧式立体物１００の断面図である。
【図３】図３は、実施形態にかかる空気圧式立体物１００の変形例を示す断面図である。
【考案を実施するための形態】
【００１７】
本考案にかかる空気圧式立体物の実施形態について、図面を参照しつつ詳細に説明する。なお、以下に説明する実施形態及び図面は、本考案の実施形態の一部を例示するものであり、これらの構成に限定する目的に使用されるものではなく、本考案の要旨を逸脱しない範囲において適宜変更することができる。なお、各図において対応する構成要素には同一又は類似の符号が付されている。
【００１８】
（実施形態）
実施形態にかかる空気圧式立体物１００が図１及び図２に示されている。図１は、空気圧式立体物１００の斜視図であり、図２は図１のＡ−Ａ部の一部拡大断面図である。
【００１９】
空気圧式立体物１００は、主として、立体形成外面シート１０と、支柱部材用筒状シート２０と、空気供給手段３０と、立体形成外面シート１０内に設けられた空気通路形成部材４０及び枠体５０と、を有するバルーン部６０と、これらが固定される支柱部材７０と、を備えている。
【００２０】
立体形成外面シート１０は、空気圧式立体物１００の外郭を形成するシートであり、中に供給された空気の圧力によって膨張状態で立体形状を維持するものである。なお、ここでいう「膨張」とは、立体形成外面シート１０自体が伸張することを指すのではなく、内圧により立体形状を維持している状態を指す。そのため、立体形成外面シート１０としては、空気不透過性又は空気低透過性のシートが使用される。例えば、空気不透過性のシートとしては、ターポリン等の合成樹脂性のシートが挙げられる。空気低透過性シートは、空気圧式立体物１００とした際に供給される空気の量より立体形成外面シート１０から漏れる空気の量が少ないシートであれば使用することができる。空気低透過性シートとしては、密に編まれた合成樹脂織物等が使用される。立体形成外面シート１０は、下方の空気取り入れ口１１（図２参照）を除き、密閉された空間となるように縫製、溶着、接着その他の接合方法（以下「接合等」という）によって立体造形されるように接合して作製される。立体造形の形態は特に限定するものではなく、様々な形態を採用することができる。なお、立体形成外面シート１０は、一部にファスナー等を設けることによって任意の場所を開口できるように設けても良い。
【００２１】
支柱部材用筒状シート２０は、立体形成外面シート１０の内側であって、支柱部材７０の周囲を包むように形成された筒状のシートである。素材としては、立体形成外面シート１０と同じ素材であってもよいし、異なる素材を使用してもよい。上端は、立体形成外面シート１０の頂面２１に接合等によって固定されている。立体形成外面シート１０の頂面２１との接合部は、図１に示すように、立体形成外面シート１０の頂面２１と接合して設けても良いし、図３に示すように、立体形成外面シート１０の頂面２１から突出するように設けても良い。支柱部材７０を頂面２１から突出して形成することで、突出した部分に旗を設けたり、広告の幟を設けたりすることができる。支柱部材用筒状シート２０の下端側は、開放されており、支柱部材７０を下端から挿入可能に設けられている。この支柱部材用筒状シート２０は、内側に支柱部材７０を挿入してバルーン部６０を中空に支持する機能を有するとともに、バルーン部６０を支柱部材７０に固定する機能を有する。なお、支柱部材７０と支柱部材用筒状シート２０は、紐等で固定してもよいし、固定しなくてもよい。立体形成外面シート１０に空気を供給することで支柱部材用筒状シート２０は、図２に示すように空気圧により支柱部材７０に押圧されるため、紐等の別手段で固定しなくても支柱部材７０に固定されるからである。
【００２２】
空気供給手段３０は、電気で駆動する送風機であり、既知の送風機を使用することができ、外気の空気を立体形成外面シート１０の内側に送風することができる構成であれば、特にその構成は限定するものではない。空気供給手段３０は、直接又は間接的に支柱に固定される。
【００２３】
空気通路形成部材４０は、空気供給手段３０を立体形成外面シート１０の内部に配置した場合に外気の空気を取り入れるための空気通路の機能を有するものである。空気通路形成部材４０は、立体形成外面シート１０の内部に配置され、立体形成外面シート１０の空気取り入れ口１１近傍で一部又は全部と接合され、空気通路形成部材４０の内側と外気とが連通するように形成される。この空気通路形成部材４０には、空気供給手段３０の吸気側が空気通路形成部材４０の内側に、空気供給手段３０の排気側が空気通路形成部材４０の外側、すなわち、立体形成外面シート１０の内側に配置されるように空気供給手段３０が取り付けられる。従って、空気供給手段３０を稼働することによって、外気の空気が空気通路形成部材４０内を通って、空気供給手段３０によって立体形成外面シート１０の内側に送風されることになる。この空気通路形成部材４０は、硬質の板状の部材で作製してもよいし、立体形成外面シート１０と同様の柔軟なシートを使用して袋状に形成してもよい。空気通路形成部材４０の空気取り入れ口１１には、立体形成外面シート１０より剛性を有し、かつ空気を通す蓋部材４１が設けられている。かかる蓋部材４１を設けることによって内部構造が見えづらくなり、美観性に優れたバルーン部６０とすることができる。また、剛性を有する素材を使用することにより、空気供給手段３０により蓋部材４１が内側に吸い込まれる可能性を低減することができる。
【００２４】
枠体５０は、空気通路形成部材４０を柔軟なシート状の素材によって作製した場合、空気供給手段３０を稼働した際にシート等が吸気側に張りついて吸気を妨げる可能性があるので、これを防止するためのものである。従って、これを防止可能な枠に形成されていれば、素材、形状等特に限定するものではない。
【００２５】
支柱部材７０は、立設された棒状部材である。必ずしも垂直に立設されたものでなくてもよく、多少傾いたものであっても前述したように、支柱部材用筒状シート２０は空気圧により支柱部材７０に押圧して固定されるため、問題なく使用することができる。例えば、図１に示すように下端にコンクリート等の土台を有する幟用の支柱等は好適に使用することができる。
【００２６】
こうして作製された空気圧式立体物１００は、バルーン部６０の支柱部材用筒状シート２０下端から支柱部材７０を挿入するだけで準備が完了となる。空気供給手段３０を稼働すると空気が立体形成外面シート１０内に送り込まれ、立体形成外面シート１０が膨張し、立体形状を維持することができる。同時に、支柱部材用筒状シートを支柱部材７０に押し付けてバルーン部６０を支柱部材７０に固定する。
【００２７】
かかる空気圧式立体物１００は、様々な立体的形態を有する立体物を中空に配置することができ、表現性の高い装飾として使用することができる。また、図１に示すように、表面に表示情報を設けることによって、宣伝・広告等として立体的な幟のように使用することができる。
【００２８】
なお、本考案は上述した実施形態に何ら限定されることはなく、本考案の技術的範囲に属する限り種々の態様で実施し得ることはいうまでもない。
【産業上の利用可能性】
【００２９】
上述した実施の形態で示すように、宣伝、広告用の立体的な幟として産業上利用することができる。
【符号の説明】
【００３０】
１０…立体形成外面シート、１１…空気取り入れ口、２０…支柱部材用筒状シート、２１…頂面、３０…空気供給手段、４０…空気通路形成部材、４１…蓋部材、５０…枠体、６０…バルーン部、７０…支柱部材、１００…空気圧式立体物
【図１】
0003197889.tif 000003
【図２】
0003197889.tif 000004
【図３】
0003197889.tif 000005